(57)【要約】【課題】縦枠の見込み面と上枠の端面との間の隙間をできるだけ小さく設定した状態で、容易に上枠を取り付ける。【解決手段】仕切壁Ｗに設けた開口部Ｅの両側縁に縦枠１１を取り付けた後、開口部Ｅの上縁に沿って上枠１２を取り付けることにより、障子２０をスライド可能に支持するための開口枠１０を構成するようにした組立構造であって、縦枠１１の見込み面から突出した状態で配置され、縦枠１１に対して上枠１２を下方から上方へ移動させた場合には収容溝１１ｃの内部に向けて弾性的に変形することにより上枠１２の通過を許容する一方、上枠１２を上方から下方へ移動させた場合には上枠１２の下面に当接して通過を阻止する弾性係合部材４０を縦枠１１の収容溝１１ｃに配設し、弾性係合部材４０を介して上枠１２の端部を縦枠１１に係止させた。【選択図】図７
2015229877.tif 000002
【特許請求の範囲】
【請求項１】
見込み面に戸当たり材を配置するための収容溝が長手方向に沿って形成された一対の縦枠と、前記一対の縦枠の上端部間に掛け渡すように配置される上枠とを備え、躯体に設けた開口部の両側縁にそれぞれ前記縦枠を取り付けた後、前記開口部の上縁に沿って前記上枠を取り付けることにより、障子をスライド可能に支持するための開口枠を構成するようにした組立構造であって、
前記縦枠の見込み面から突出した状態で配置され、前記縦枠に対して前記上枠を下方から上方へ移動させた場合には前記収容溝の内部に向けて弾性的に変形することにより前記上枠の通過を許容する一方、前記上枠を上方から下方へ移動させた場合には前記上枠の下面に当接して通過を阻止する弾性係合部材を前記縦枠の収容溝に配設し、前記弾性係合部材によって前記上枠の端部を前記縦枠に係止させることを特徴とする開口枠の組立構造。
【請求項２】
前記弾性係合部材は、上方に向かうに従って前記収容溝から漸次離隔するように傾斜した薄板状の当接片部を有したものであり、前記当接片部の上端部を前記上枠の下面に当接させることによって前記上枠を前記縦枠に係止させることを特徴とする請求項１に記載の開口枠の組立構造。
【請求項３】
前記弾性係合部材は、基板部の下端に前記当接片部を有するとともに、前記基板部の上端にクリップ部を有し、前記クリップ部を介して前記縦枠の上端に掛かり留めたことを特徴とする請求項２に記載の開口枠の組立構造。
【発明の詳細な説明】
【技術分野】
【０００１】
本発明は、躯体に設けた開口部の両側縁に縦枠を取り付けた後、開口部の上縁に沿って上枠を取り付けることにより、障子をスライド可能に支持するための開口枠を構成するようにした組立構造に関するものである。
【背景技術】
【０００２】
仕切壁等の躯体に設けられた開口部の縁に沿って開口枠を構成する方法としては、予め上枠、下枠及び左右の縦枠を組み立てて構成した開口枠を開口部に設置する方法と、開口部に縦枠や上枠を順次取り付けて開口枠を構成する方法とがある。特に、室内の仕切壁に設けられた開口部に開口枠を構成する場合には、下枠が省略されることが多いため、開口部に縦枠や上枠を順次組み付ける方法が多く用いられる。具体的には、左右の縦枠を開口部の両側縁に沿って取り付けた後、開口部の上縁に沿って上枠を取り付けることによって仕切壁の開口部に開口枠が構成される。
【０００３】
縦枠を開口部に取り付ける場合には、縦枠の下端を床面に載置した状態で取付作業を行うことができるため、開口部に対する位置決めも容易となり、一人での施工が可能である。しかしながら、上枠を開口部に取り付ける場合には、上枠を床面から離隔した位置に保持しながら取付作業を行う必要があり、一人での施工が難しい。特に、開口部の幅が大きい場合には、上枠の全長も大きなものとなるため、上述した問題が一層顕著となる。
【０００４】
このため従来では、縦枠の上端部に係合具を設けるとともに、上枠の端部に被係合具を設けるようにした組立構造が提供されている。縦枠の係合具には係合突起が設けられており、上枠の被係合具には被係合突起が設けられている。係合具の係合突起と被係合具の被係合突起とは、縦枠に対して上枠を下方から上方に向けて移動させた場合に互いに係合するように構成されたものである。この組立構造によれば、縦枠に対して上枠を上方に移動させれば、上枠の端部を縦枠に係止させることができ、その後、両手を使って取付作業を行うことができるため、一人での施工が可能となる（例えば、特許文献１参照）。
【先行技術文献】
【特許文献】
【０００５】
【特許文献１】特開平１１−２４１５７５号公報
【発明の概要】
【発明が解決しようとする課題】
【０００６】
ところで、上述の組立構造は、縦枠の係合具が上枠の端面と上枠の被係合具との間に挿入される構成である。つまり、縦枠の見込み面と上枠の端面との間には、係合具と被係合具とが重なった状態で配置されることになる。従って、組み立て後の開口枠にあっても、縦枠の見込み面と上枠の端面との間に隙間が残ることになり、外観品質を考慮した場合、必ずしも好ましいとはいえない。
【０００７】
本発明は、上記実情に鑑みて、縦枠の見込み面と上枠の端面との間の隙間をできるだけ小さく設定した状態で、容易に上枠を取り付けることのできる開口枠の組立構造を提供することを目的とする。
【課題を解決するための手段】
【０００８】
上記目的を達成するため、本発明に係る開口枠の組立構造は、見込み面に戸当たり材を配置するための収容溝が長手方向に沿って形成された一対の縦枠と、前記一対の縦枠の上端部間に掛け渡すように配置される上枠とを備え、躯体に設けた開口部の両側縁にそれぞれ前記縦枠を取り付けた後、前記開口部の上縁に沿って前記上枠を取り付けることにより、障子をスライド可能に支持するための開口枠を構成するようにした組立構造であって、前記縦枠の見込み面から突出した状態で配置され、前記縦枠に対して前記上枠を下方から上方へ移動させた場合には前記収容溝の内部に向けて弾性的に変形することにより前記上枠の通過を許容する一方、前記上枠を上方から下方へ移動させた場合には前記上枠の下面に当接して通過を阻止する弾性係合部材を前記縦枠の収容溝に配設し、前記弾性係合部材によって前記上枠の端部を前記縦枠に係止させることを特徴とする。
【０００９】
この発明によれば、縦枠の収容溝から突出した弾性係合部材を上枠の下面に当接させるようにしているため、縦枠の見込み面と上枠の端面との間に弾性係合部材を介在させることなく上枠を縦枠に係止させることが可能となる。
【００１０】
また本発明は、上述した開口枠の組立構造において、前記弾性係合部材は、上方に向かうに従って前記収容溝から漸次離隔するように傾斜した薄板状の当接片部を有したものであり、前記当接片部の上端部を前記上枠の下面に当接させることによって前記上枠を前記縦枠に係止させることを特徴とする。
【００１１】
この発明によれば、縦枠に対して上枠を上方に移動させた場合には当接片部の傾斜作用によって弾性係合部材が収容溝に向けて弾性的に変形し、上枠の通過を許容する。上枠の下面が当接片部の上端部を通過した後においては、弾性復元力によって当接片部の上端部が縦枠の見込み面から突出した状態に復帰するため、上枠を下方に移動させれば、当接片部の上端部が上枠の下面に当接することによって上枠が縦枠に係止される。
【００１２】
また本発明は、上述した開口枠の組立構造において、前記弾性係合部材は、基板部の下端に前記当接片部を有するとともに、前記基板部の上端にクリップ部を有し、前記クリップ部を介して前記縦枠の上端に掛かり留めたことを特徴とする。
【００１３】
この発明によれば、クリップ部に縦枠の上端を挟み込めば、縦枠に対して弾性係合片を容易に取り付けることが可能となる。
【発明の効果】
【００１４】
本発明によれば、縦枠の収容溝から突出した弾性係合部材を上枠の下面に当接させるようにしているため、縦枠の見込み面と上枠の端面との間に弾性係合部材を介在させることなく上枠を縦枠に係止させることが可能となる。従って、組み立て作業を一人で施工することが可能になるとともに、組み立て後の開口枠においては縦枠の見込み面と上枠の端面との間の隙間をできるだけ小さく設定することができ、外観品質の向上を図ることが可能となる。
【図面の簡単な説明】
【００１５】
【図１】図１は、本発明の実施の形態である組立構造を適用して開口枠を構成した建具の斜視図である。
【図２】図２は、図１に示した建具の上枠部分を示す要部拡大縦断面図である。
【図３】図３は、図１に示した建具の上枠と縦枠との連結部分を示す要部拡大一部破断図である。
【図４】図４は、図３におけるＡ−Ａ線断面図である。
【図５】図５は、図１に示した建具の縦枠を上方から見た図である。
【図６】図６は、躯体の開口部に縦枠を取り付けた状態を示す要部斜視図である。
【図７】図７は、躯体の開口部に対する上枠の取付過程を示したもので、（ａ）は、躯体の開口部に上枠を配置した状態の図、（ｂ）は縦枠の弾性係合部材に上枠を係止させた状態の図である。
【図８】図８は、図７に示した上枠の取付課程を拡大したもので、（ａ）は上枠の端部が弾性係合部材に当接した状態の要部拡大図、（ｂ）は弾性係合部材に上枠を係止させた状態の要部拡大図である。
【図９】図９は、弾性係合部材に上枠を係止させた状態の縦断面図である。
【図１０】図１０は、本発明に係る開口枠の取付構造において一方の縦枠にブロック部材を配設するようにした変形例１の要部斜視図である。
【図１１】図１１は、本発明に係る開口枠の取付構造において弾性係合部材をネジによって縦枠に取り付けるようにした変形例２の要部拡大一部破断図である。
【発明を実施するための形態】
【００１６】
以下、添付図面を参照しながら本発明に係る開口枠の組立構造の好適な実施の形態について詳細に説明する。
【００１７】
図１は、本発明の実施の形態である組立構造を適用して開口枠を構成した建具を示したものである。ここで例示する建具は、室内の仕切壁（躯体）Ｗに設けた矩形状の開口部Ｅに開口枠１０を介して２枚の障子２０を左右方向に移動可能に配設したものである。
【００１８】
開口枠１０は、開口部Ｅの両側縁に取り付けた縦枠１１と、縦枠１１の上端部間に掛け渡すように開口部Ｅの上縁に沿って取り付けた上枠１２とを備えて構成したものである。縦枠１１及び上枠１２は、それぞれアルミニウムやアルミニウム合金、あるいは樹脂材によって成形した押し出し形材であり、長手方向の全長にわたってほぼ一様な断面形状を有するように構成してある。
【００１９】
障子２０は、矩形状を成す面材２１と、図２及び図３に示すように、それぞれの面材２１材の上部に取り付けられた戸車２２とを備えたものである。戸車２２は、戸車本体２２ａの両側にそれぞれ走行車輪２２ｂを有したもので、戸車本体２２ａから下方に延在した連結ロッド２２ｃ及び連結ブロック２２ｄを介して面材２１の上部に取り付けてある。この実施の形態の建具では、戸車２２を介して２枚の障子２０が上枠１２に吊り下げた状態で支持され、かつ上枠１２の長手方向に沿って移動することが可能である。
【００２０】
以下、開口枠１０の構成について詳細に説明し、併せて本発明の特徴部分について詳述する。開口枠１０の上枠１２は、上壁部１２ａ、一対の側壁部１２ｂ及び中壁部１２ｃを有したものである。上壁部１２ａは、開口部Ｅのまぐさ（躯体）Ｅ１に取り付けられる部分であり、上面が平坦な板状に形成してある。側壁部１２ｂは、上壁部１２ａの両側縁から下方に向けて延在したもので、個々の下端に側方レール部１２ｄを有している。側方レール部１２ｄは、側壁部１２ｂの下端から互いに近接する方向に向けて水平に延在した平板状を成すものである。中壁部１２ｃは、上壁部１２ａの下面において側壁部１２ｂの間に位置する部分から下方に向けて延在したもので、下端に一対の中央レール部１２ｅを有している。中央レール部１２ｅは、それぞれの側壁部１２ｂに設けた側方レール部１２ｄに近接する方向に向けて水平に延在したものである。中央レール部１２ｅ及び側方レール部１２ｄは、上面の高さが互いに同じとなるように構成してある。
【００２１】
上枠１２には、側壁部１２ｂの外表面となる位置にそれぞれ上方カバープレート１３が配設してある。上方カバープレート１３は、見付け方向に沿った寸法が側壁部１２ｂよりも大きな薄板状部材であり、側壁部１２ｂに対して上壁部１２ａに直交する方向にスライドできるように配設してある。この上方カバープレート１３は、上枠１２をまぐさＥ１に取り付けた際に適宜スライドさせることにより、まぐさＥ１との間に生じた隙間を覆うことが可能である。尚、図３中の符号２３は、上壁部１２ａ、側壁部１２ｂ及び中壁部１２ｃによって囲まれる空間（以下、ガイド空間という）の両端部に配設したキャップである。図からも明らかなように、キャップ２３において上枠１２の端面から外部に露出する部分には、上壁部１２ａとの間に逃げ部２３ａが設けてある。
【００２２】
縦枠１１は、図４及び図５に示すように、見込み壁部１１ａ及び一対の側壁部１１ｂを有したものである。見込み壁部１１ａは、開口部Ｅの間柱（躯体）Ｅ２に取り付けられ、かつ縦枠１１の見込み面を構成する部分である。この見込み壁部１１ａには、長手方向に沿って一対の収容溝１１ｃが形成してある。収容溝１１ｃは、障子２０が当接した場合にクッションとなる戸当たり材３０を配設するために設けた凹所であり、縦枠１１においてそれぞれの障子２０に対向する部位の全長に形成してある。
【００２３】
図４に示すように、本実施の形態では、開口縁部に内向きの第１リブ１１ｄを有するとともに、第１リブ１１ｄよりも奥方に突出量の大きな第２リブ１１ｅを有した収容溝１１ｃが縦枠１１に形成してあり、これら第１リブ１１ｄ及び第２リブ１１ｅによって戸当たり材３０を保持するようにしている。戸当たり材３０は、縦枠１１の下端から上方に向けて連続した長尺部材であり、図９に示すように、上枠１２に設けた側方レール部１２ｄの下面よりもわずかに下方となる位置で終端している。図４及び図５に示すように、側壁部１１ｂは、見込み壁部１１ａの両側縁部から外周側に向けて延在したものである。側壁部１１ｂには、外表面となる位置にそれぞれ側方カバープレート１４が配設してある。側方カバープレート１４は、見付け方向に沿った寸法が側壁部１１ｂよりも大きな薄板状部材であり、側壁部１１ｂに対して見込み壁部１１ａに直交する方向にスライドできるように配設してある。この側方カバープレート１４は、縦枠１１を開口部Ｅの間柱Ｅ２に取り付けた際に適宜スライドさせることにより、間柱Ｅ２との間に生じた隙間を覆うことが可能である。
【００２４】
図３に示すように、縦枠１１の上端部において収容溝１１ｃを形成した部分には、それぞれ弾性係合部材４０が配設してある。弾性係合部材４０は、収容溝１１ｃに収容可能となる幅を有した金属性の薄板部材であり、基板部４１の上端にクリップ部４２を有するとともに、基板部４１の下端に当接片部４３を有している。クリップ部４２は、基板部４１の上端からほぼ直角に屈曲した後、下方に向けて延在した平板状部分である。このクリップ部４２に対して基板部４１は、下方に向かうに従って漸次クリップ部４２に近接するように傾斜し、さらにその下端部がクリップ部４２とほぼ平行となるように延在している。当接片部４３は、基板部４１の下端からクリップ部４２から離隔する方向に湾曲した後、上方に延在した部分である。この当接片部４３は、上方に向かうに従って漸次基板部４１から離隔するように傾斜している。当接片部４３の上端は、クリップ部４２をほぼ鉛直に沿って配置した場合、基板部４１の上端よりも下方に位置する長さに設定してある。この弾性係合部材４０は、基板部４１とクリップ部４２との間に縦枠１１の上端を挿入することによって縦枠１１に保持してあり、図３及び図６に示すように、当接片部４３の上端部が収容溝１１ｃを超えて縦枠１１の見込み面から突出している。
【００２５】
上記のように構成した建具の開口枠１０を組み立てる場合には、図７の（ａ）に示すように、仕切壁Ｗの開口部Ｅに対して、まずそれぞれの側縁に沿って縦枠１１を取り付ける。具体的には、図４に示すように、収容溝１１ｃを介して開口部Ｅの間柱Ｅ２にネジＢを螺合させることにより、縦枠１１を間柱Ｅ２に固定する。このとき、縦枠１１の上端に予め弾性係合部材４０を配設しておけば、弾性係合部材４０のクリップ部４２が縦枠１１の上端とまぐさＥ１との間に挟まれることになり、下方から外力を受けた場合にも弾性係合部材４０が縦枠１１から脱落することがない。縦枠１１を取り付ける場合には、縦枠１１の下端を床面に載置した状態で取付作業を行うことができるため、片手で縦枠１１の位置決めを行うことも容易となり、一人で施工を行うことが可能である。
【００２６】
開口部Ｅの両側縁にそれぞれ縦枠１１を取り付けた後には、上枠１２を左右方向に沿った姿勢で縦枠１１の間に配置し、上枠１２の端面をそれぞれ縦枠１１の見込み面に対向させた状態で上枠１２を上方に移動させる。上枠１２を上方に移動させると、図８の（ａ）に示すように、やがて上枠１２の上壁部１２ａが、収容溝１１ｃから突出した弾性係合部材４０の当接片部４３に当接する。この状態からさらに上枠１２を上方に移動させると、当接片部４３が収容溝１１ｃの内部に向けて弾性的に変形することになり、図８の（ｂ）に示すように、当接片部４３の上端を超えて上枠１２を上方に移動させることが可能となる。上枠１２が当接片部４３の上端を超えて上方に移動した場合には、当接片部４３が弾性復元力によって収容溝１１ｃから突出し、上壁部１２ａの下面に対向した状態となる。このとき、上枠１２の両端部に配設したキャップ２３に逃げ部２３ａを形成しているため、当接片部４３が弾性復帰する際にキャップ２３と干渉するおそれはなく、当接片部４３が確実に上壁部１２ａの下面と対向する位置まで突出する。
【００２７】
この状態においては、上枠１２を下方に移動させると、図７の（ｂ）、図８の（ｂ）及び図９に示すように、上壁部１２ａの下面が当接片部４３の上端に当接することになり、その後、上枠１２から手を離した場合にも脱落することなく上枠１２が縦枠１１に係止される。ここで、上枠１２の荷重を受けた弾性係合部材４０は、変形することになる。しかしながら、弾性係合部材４０の当接片部４３は、上方に向かうに従って漸次基板部４１から離隔するように傾斜したものである。従って、上枠１２の荷重に伴う弾性係合部材４０の変形は、当接片部４３が収容溝１１ｃから突出する方向となり、上枠１２の下方への移動を確実に阻止する方向に作用する。
【００２８】
このように、上枠１２が弾性係合部材４０を介して縦枠１１の上方部に係止された状態にあっては、片手でまぐさＥ１に対する上枠１２の位置決めを行うことも容易となる。これにより、開口枠１０の幅が大きく、上枠１２の長手方向に沿った寸法が３０００〜４０００ｍｍといった大きい場合であっても、組み立て作業を一人で施工することが可能になる。しかも、上枠１２を係止するための弾性係合部材４０は、当接片部４３の上端のみが縦枠１１の見込み面から突出し、かつ縦枠１１に対して上枠１２を下方から上方へ移動させた場合には収容溝１１ｃの内部に向けて弾性的に変形する構成である。従って、上枠１２の端面を縦枠１１の見込み面に摺接させながら上方へ移動させることも可能であり、縦枠１１の見込み面と上枠１２の端面との間の隙間をできるだけ小さく設定した状態で縦枠１１の上端部間に掛け渡すように上枠１２を取り付けることが可能となる。さらに、上枠１２をまぐさＥ１に取り付けた後においては、弾性係合部材４０の当接片部４３が上枠１２の側壁部１２ｂによって覆われることになり、外観品質が大きく損なわれるおそれもない。
【００２９】
尚、上述した実施の形態では、開口部Ｅの両側縁に取り付けた縦枠１１のそれぞれに弾性係合部材４０を配設するようにしているが、本発明では少なくとも一方の縦枠１１にのみ弾性係合部材４０を配設すれば良い。例えば、図１０に示す変形例１では、一方の縦枠１１の収容溝１１ｃに、見込み面から突出するようにブロック部材５０を配設するようにしている。ブロック部材５０は、例えば樹脂材によって成形したもので、まぐさＥ１の下面からわずかに離隔した位置が上面となるように縦枠１１の収容溝１１ｃに取り付けてある。図には示していないが、他方の縦枠１１の収容溝１１ｃには、実施の形態１と同様に収容溝１１ｃの上端部に弾性係合部材４０が配設してある。
【００３０】
この変形例１においても、上枠１２をわずかに傾けて一方の端部の上壁部１２ａを先にブロック部材５０の上面とまぐさＥ１の間に挿入し、その後、上枠１２の他方の端部を上方に移動させれば、縦枠１１の上方部に上枠１２を係止することができる。従って、片手でまぐさＥ１に対する上枠１２の位置決めを容易に行うことができ、開口枠１０の幅が大きく、上枠１２の長手方向に沿った寸法が大きい場合であっても、組み立て作業を一人で施工することが可能になる。さらに、実施の形態１と同様、弾性係合部材４０は、当接片部４３の上端のみが縦枠１１の見込み面から突出し、かつ縦枠１１に対して上枠１２を下方から上方へ移動させた場合には収容溝１１ｃの内部に向けて弾性的に変形する構成である。従って、上枠１２の端面を縦枠１１の見込み面に摺接させながら上方へ移動させることも可能であり、縦枠１１の見込み面と上枠１２の端面との間の隙間をできるだけ小さく設定した状態で縦枠１１の上端部間に掛け渡すように上枠１２を取り付けることが可能となる。収容溝１１ｃに配設したブロック部材５０についても、上枠１２をまぐさＥ１に取り付けた後においては、弾性係合部材４０の当接片部４３が上枠１２の側壁部１２ｂによって覆われることになり、外観品質が大きく損なわれるおそれはない。
【００３１】
また、上述した実施の形態では、弾性係合部材４０にクリップ部４２を設け、基板部４１とクリップ部４２との間に縦枠１１の上端を挿入することによって弾性係合部材４０を縦枠１１に保持するようにしているが、本発明はこれに限定されない。例えば、図１１に示す変形例２ように、弾性係合部材１４０をネジ１５０によって縦枠１１の収容溝１１ｃに取り付けるようにしても良い。この場合の弾性係合部材１４０としては、クリップ部を有している必要はなく、例えば基板部１４１と、基板部１４１の上端から上方に向かうに従って漸次基板部１４１から離隔するように傾斜した当接片部１４３とを有したものを適用すれば良い。
【００３２】
弾性係合部材１４０を取り付けるためのネジ１５０を螺合する部分としては、縦枠１１に直接ネジ孔を形成するようにしても良いが、板厚の大きなブラケット板１５１を別途用意し、このブラケット板１５１にネジ孔１５１ａを形成するようにしても良い。ブラケット板１５１としては、第２リブ１１ｅの相互間隔よりも幅の広いものを適用し、これを第２リブ１１ｅよりも奥方に配置すれば、ネジ１５０を螺合することにより、ブラケット板１５１と弾性係合部材１４０とによって第２リブ１１ｅを挟んだ状態で弾性係合部材１４０が収容溝１１ｃに取り付けられることになる。
【００３３】
尚、上述した実施の形態及び変形例１、変形例２では、戸車を介して障子を上枠に吊り下げた状態で支持するようにした開口枠の組立構造について説明したが、本発明は障子を上枠に吊り下げた状態で支持するものに限らない。また、下枠を備えていない開口枠について例示しているが、下枠を備えた開口枠を組み立てる場合にももちろん適用することが可能である。
【符号の説明】
【００３４】
１０  開口枠、１１  縦枠、１１ａ  見込み壁部、１１ｂ  側壁部、１１ｃ  収容溝、１２  上枠、２０  障子、３０  戸当たり材、４０  弾性係合部材、４１  基板部、４２  クリップ部、４３  当接片部、１４０  弾性係合部材、１４１  基板部、１４３  当接片部、Ｅ  開口部、Ｅ１  まぐさ、Ｅ２  間柱、Ｗ  仕切壁
【図１】
2015229877.tif 000003
【図２】
2015229877.tif 000004
【図３】
2015229877.tif 000005
【図４】
2015229877.tif 000006
【図５】
2015229877.tif 000007
【図６】
2015229877.tif 000008
【図７】
2015229877.tif 000009
【図８】
2015229877.tif 000010
【図９】
2015229877.tif 000011
【図１０】
2015229877.tif 000012
【図１１】
2015229877.tif 000013